【手続補正書】
【提出日】平成26年4月18日(2014.4.18)
【手続補正１】
【補正対象書類名】明細書
【補正対象項目名】００１１
【補正方法】変更
【補正の内容】
【００１１】
上記目的を達成するために、本発明は、走行前位置と走行完了位置との間を移動する羽根駆動部材と、アーマチャが配置される第１の部材と、通電することで前記アーマチャを吸着する電磁石と、前記アーマチャが前記電磁石に当接するように前記第１の部材を保持する保持位置と前記第１の部材の移動軌跡外に退避する退避位置との間を移動する保持部材と、前記保持部材を前記退避位置に付勢する付勢部材と、前記保持部材前記付勢部材の付勢力に抗して前記保持位置に係止する係止位置と前記係止を解除する解除位置との間を移動する第２の部材と、前記第２の部材を前記係止位置から前記解除位置に移動させる駆動源と、前記駆動源への通電を制御する通電制御手段と、を備える撮像装置であって、前記アーマチャが前記電磁石に当接するとき、前記第１の部材は前記羽根駆動部材を前記走行前位置に係止し、前記通電制御手段は、第１の制御モードと第２の制御モードを有し、前記第１の制御モードでは、前記駆動源に通電して前記第２の部材を前記係止位置から前記解除位置に移動させたのち、前記通電制御手段は、前記駆動源への通電を行わず、前記第２の制御モードでは、前記駆動源に通電して前記第２の部材を前記係止位置から前記解除位置に移動させたのち、前記通電制御手段は、前記羽根駆動部材が走行完了位置に移動するまで前記駆動源に前記第２の部材のバウンドを規制するための通電を行うことを特徴とする。
【手続補正２】
【補正対象書類名】明細書
【補正対象項目名】００３３
【補正方法】変更
【補正の内容】
【００３３】
後幕電磁石９は、後幕ヨーク９ａおよび後幕コイル９ｂを有する。後幕コイル９ｂに電圧を印加すると、後幕ヨーク９ａに磁力が発生する。この磁力によって後幕ヨーク９ａに後幕アマーチャ８ａを吸着することができる。後幕電磁石９は、後幕解除レバー８を付勢しているバネ３１の付勢力よりも大きい力で後幕アマーチャ８ａを吸着することができるような電圧を印加する。後幕コイル９ｂへの電圧印加を停止すると、後幕アマーチャ８ａを吸着する力がなくなり、バネ３１の付勢力により後幕解除レバー８が時計回りに回動する。
【手続補正３】
【補正対象書類名】明細書
【補正対象項目名】００５５
【補正方法】変更
【補正の内容】
【００５５】
デジタルカメラ本体１００のＣＰＵが後幕コイル９ｂに印加される電圧を遮断すると、後幕アマーチャ８ａが後幕電磁石９から離反し、後幕解除レバー８がバネ３１の付勢力によって反時計回り方向に回動する。
【手続補正４】
【補正対象書類名】明細書
【補正対象項目名】００５６
【補正方法】変更
【補正の内容】
【００５６】
後幕解除レバー８が回動すると、後幕係止押圧部８ｂが後幕係止被押圧部７ｂを押圧する。後幕係止被押圧部７ｂが押圧されると、後幕係止レバー７が反時計回り方向に回動し、後幕係止部７ａと後幕駆動レバー６との係合が解除され、後幕駆動レバー６が時計回り方向に回動して、図７に示す後幕走行完状態となる。図７の状態は、図３のタイミングチャートでは状態Ｅに相当する。
【手続補正５】
【補正対象書類名】明細書
【補正対象項目名】００７３
【補正方法】変更
【補正の内容】
【００７３】
デジタルカメラ本体１００のＣＰＵが後幕コイル９ｂに印加される電圧を遮断すると、後幕アマーチャ８ａが後幕電磁石９から離反し、後幕解除レバー８がバネ３１の付勢力によって反時計回り方向に回動する。
【手続補正６】
【補正対象書類名】明細書
【補正対象項目名】００７４
【補正方法】変更
【補正の内容】
【００７４】
後幕解除レバー８が回動すると、後幕係止押圧部８ｂが後幕係止被押圧部７ｂを押圧する。後幕係止被押圧部７ｂが押圧されると、後幕係止レバー７が反時計回り方向に回動し、後幕係止部７ａと後幕駆動レバー６との係合が解除され、後幕駆動レバー６が時計回り方向に回動して、図１１に示す後幕走行完状態となる。図１１の状態は、図８のタイミングチャートでは状態Ｅ’に相当する。
【手続補正７】
【補正対象書類名】明細書
【補正対象項目名】００８１
【補正方法】変更
【補正の内容】
【００８１】
ステップＳ１００で動作フローを開始する。ステップＳ１１０にて、レリーズボタンが押されると、ステップＳ１２０へ進む。ステップＳ１２０では、操作部１８０によって、連写撮影モードが設定されているか否かを判定する。ここで、低速連写撮影モードまたは高速連写撮影モードが設定されている場合には、ステップＳ１３０に進み、シングル撮影モードが設定されている場合には、ステップＳ１６０に進む。
【手続補正８】
【補正対象書類名】特許請求の範囲
【補正対象項目名】全文
【補正方法】変更
【補正の内容】
【特許請求の範囲】
【請求項１】
走行前位置と走行完了位置との間を移動する羽根駆動部材と、
アーマチャが配置される第１の部材と、
通電することで前記アーマチャを吸着する電磁石と、
前記アーマチャが前記電磁石に当接するように前記第１の部材を保持する保持位置と前記第１の部材の移動軌跡外に退避する退避位置との間を移動する保持部材と、
前記保持部材を前記退避位置に付勢する付勢部材と、
前記保持部材前記付勢部材の付勢力に抗して前記保持位置に係止する係止位置と前記係止を解除する解除位置との間を移動する第２の部材と、
前記第２の部材を前記係止位置から前記解除位置に移動させる駆動源と、
前記駆動源への通電を制御する通電制御手段と、を備える撮像装置であって、
前記アーマチャが前記電磁石に当接するとき、前記第１の部材は前記羽根駆動部材を前記走行前位置に係止し、
前記通電制御手段は、第１の制御モードと第２の制御モードを有し、
前記第１の制御モードでは、前記駆動源に通電して前記第２の部材を前記係止位置から前記解除位置に移動させたのち、前記通電制御手段は、前記駆動源への通電を行わず、
前記第２の制御モードでは、前記駆動源に通電して前記第２の部材を前記係止位置から前記解除位置に移動させたのち、前記通電制御手段は、前記羽根駆動部材が走行完了位置に移動するまで前記駆動源に前記第２の部材のバウンドを規制するための通電を行うことを特徴とする撮像装置。
【請求項２】
前記連続撮影の１コマ目では、前記通電制御手段が前記第１の制御モードにて前記駆動源への通電を制御し、前記連続撮影の２コマ目以降では、前記通電制御手段が前記第２の制御モードにて前記駆動源への通電を制御することを特徴とする請求項１に記載の撮像装置。
【請求項３】
前記通電制御手段が前記駆動源に前記ボディレリーズレバーのバウンドを規制するための通電を行う際の前記駆動源への通電量は、前記通電制御手段が前記ボディレリーズレバーを前記係止位置から前記解除位置に移動させる際の前記駆動源への通電量より小さいことを特徴とする請求項１または２に記載の撮像装置。
【請求項４】
前記撮像装置が通常撮影を実行する際には、前記通電制御手段が前記第１の制御モードにて前記駆動源への通電を制御し、
前記撮像装置が連続撮影を実行する際には、前記通電制御手段が前記第２の制御モードにて前記駆動源への通電を制御することを特徴とする請求項１ないし３のいずれか１項に記載の撮像装置。
【請求項５】
前記通電制御手段が前記第２の制御モードにて前記駆動源への通電を制御する際には、前記第２の部材を前記係止位置から前記解除位置へ移動させるために第１の通電量を前記駆動源へ通電し、
前記第２の部材が前記係止位置から前記解除位置へ移動したのち、前記第１の通電量より小さい第２の通電量を前記駆動源へ通電することを特徴とする請求項１ないし４のいずれか１項に記載の撮像装置。
【請求項６】
前記通電制御手段が前記第２の制御モードにて前記駆動源への通電を制御する際には、前記第２の部材を前記係止位置から前記解除位置へ移動させるために第１の電圧を前記駆動源へ通電し、
前記第２の部材が前記係止位置から前記解除位置へ移動したのち、前記第１の電圧より小さい第２の電圧を前記駆動源へ通電することを特徴とする請求項１ないし４のいずれか１項に記載の撮像装置。